(57)【要約】【課題】内容物を確実に保護することができ、かつ組立作業を容易に行なうこと。【解決手段】中仕切り１０は、単一の中仕切り用ブランク１０Ａからなり、４つの隣接する矩形状の底板１１と、隣接する底板１１間に位置するとともに底板１１の側縁１１ａに連結された仕切体１５と、底板１１の側縁１１ｂに連結された側板１２とを備えている。仕切体１５は隣接する底板の対向する側縁１０ａに連結された一対の側板１３と、一対の側板１３の上端を連結する上板１４とからなる。仕切体１５の高さは、側板１２の高さと同一となっている。【選択図】図１
2015000761.tif 000002
【特許請求の範囲】
【請求項１】
内容物を区画して保護するとともに単一の中仕切り用ブランクからなる中仕切りにおいて、内容物が載置される少なくとも２つの隣接する矩形状底板と、
隣接する底板間に位置し、各底板の対向する側縁間に設けられた仕切体と、
仕切体以外の底板の側縁に設けられ上方に延びる側板とを備え、
仕切体は２つの隣接する底板の対向する側縁から上方へ延びる一対の側板と、一対の側板の上端を連結する上板とを有し、
仕切体の一対の側板および各底板の仕切体以外の側板は、同一高さをもちかつ底板上の内容物の高さより高いことを特徴とする中仕切り。
【請求項２】
矩形状底板は格子状に配置された４つの底板からなり、隣り合う底板間に各々仕切体が設けられていることを特徴とする請求項１記載の中仕切り。
【請求項３】
外箱と、
外箱内に配置され内容物を区画して保護するとともに単一の中仕切り用ブランクからなる中仕切りとを備え、
中仕切りは、内容物を区画して保護するとともに単一の中仕切り用ブランクからなり、
内容物が載置される少なくとも２つの隣接する矩形状底板と、
隣接する底板間に位置し、各底板の対向する側縁間に設けられた仕切体と、
仕切体以外の底板の側縁に設けられ上方に延びる側板とを備え、
仕切体は２つの隣接する底板の対向する側縁から上方へ延びる一対の側板と、一対の側板の上端を連結する上板とを有し、
仕切体の一対の側板および各底板の仕切体以外の側板は、同一高さをもちかつ底板上の内容物の高さより高いことを特徴とする内容物収納箱。
【請求項４】
矩形状底板は格子状に配置された４つの底板からなり、隣り合う底板間に各々仕切体が設けられていることを特徴とする請求項３記載の内容物収納箱。
【請求項５】
内容物を区画して保護する中仕切りを作製するための中仕切り用ブランクにおいて、
少なくとも２つの隣接する矩形状底板ブランクと、
隣接する底板ブランク間に位置し、各底板ブランクの対向する側縁間に設けられた仕切体ブランクと、
仕切体ブランク以外の底板ブランクの側縁に設けられた側板ブランクとを備え、
仕切体ブランクは、２つの隣接する底板ブランクの対向する側縁から延びる一対の側板ブランクと、一対の側板ブランク間に設けられた上板ブランクとを有し、
仕切体ブランクの一対の側板ブランクおよび各底板ブランクの仕切体以外の側板ブランクは対応する底板ブランクの側縁からの長さが同一となっていることを特徴とする中仕切り用ブランク。
【請求項６】
矩形状底板は格子状に配置された４つの底板からなり、隣り合う底板間に各々仕切体が設けられていることを特徴とする請求項５記載の中仕切り用ブランク。
【発明の詳細な説明】
【技術分野】
【０００１】
本発明は中仕切り、内容物収納箱および中仕切り用ブランクに係り、とりわけ内容物を効果的に保護して仕切ることができる中仕切り、内容物収納箱および中仕切り用ブランクに関する。
【背景技術】
【０００２】
従来より内容物収納箱として、外箱と、外箱内に配置され内容物を仕切る仕切板とを備えたものが知られている。そして外箱内に仕切板を配置することにより形成された空間内に内容物が収納される。
【先行技術文献】
【特許文献】
【０００３】
【特許文献１】特開平９−３０１４３４号公報
【発明の開示】
【発明が解決しようとする課題】
【０００４】
ところで上述した内容物収納箱は、外箱と外箱内に配置される仕切板とを備えているが、仕切板は複数の部材を互いに連結しこれらを組立てることにより作製される。このため従来の内容物収納箱を組立てる際、仕切板の組立て作業が煩雑となっている。
【０００５】
また従来より外方から衝撃が加えられた場合、十分に内容物を保護することができる内容物収納箱が求められている。
【０００６】
本発明はこのような点を考慮してなされたものであり、外方から衝撃が加えられた際、内容物を確実に保護することができ、かつ組立て作業を容易に行なうことができる中仕切り、内容物収納箱および中仕切り用ブランクを提供することを目的とする。
【課題を解決するための手段】
【０００７】
本発明は、内容物を区画して保護するとともに単一の中仕切り用ブランクからなる中仕切りにおいて、内容物が載置される少なくとも２つの隣接する矩形状底板と、隣接する底板間に位置し、各底板の対向する側縁間に設けられた仕切体と、仕切体以外の底板の側縁に設けられ上方に延びる側板とを備え、仕切体は２つの隣接する底板の対向する側縁から上方へ延びる一対の側板と、一対の側板の上端を連結する上板とを有し、仕切体の一対の側板および各底板の仕切体以外の側板は、同一高さをもちかつ底板上の内容物の高さより高いことを特徴とする中仕切りである。
【０００８】
本発明は、矩形状底板は格子状に配置された４つの底板からなり、隣り合う底板間に各々仕切体が設けられていることを特徴とする中仕切りである。
【０００９】
本発明は、外箱と、外箱内に配置され内容物を区画して保護するとともに単一の中仕切り用ブランクからなる中仕切りとを備え、中仕切りは、内容物を区画して保護するとともに単一の中仕切り用ブランクからなり、内容物が載置される少なくとも２つの隣接する矩形状底板と、隣接する底板間に位置し、各底板の対向する側縁間に設けられた仕切体と、仕切体以外の底板の側縁に設けられ上方に延びる側板とを備え、仕切体は２つの隣接する底板の対向する側縁から上方へ延びる一対の側板と、一対の側板の上端を連結する上板とを有し、仕切体の一対の側板および各底板の仕切体以外の側板は、同一高さをもちかつ底板上の内容物の高さより高いことを特徴とする内容物収納箱である。
【００１０】
本発明は、矩形状底板は格子状に配置された４つの底板からなり、隣り合う底板間に各々仕切体が設けられていることを特徴とする内容物収納箱である。
【００１１】
本発明は、内容物を区画して保護あする中仕切りを作製するための中仕切用ブランクにおいて、少なくとも２つの隣接する矩形状底板ブランクと、隣接する底板ブランク間に位置し、各底板ブランクの対向する側縁間に設けられた仕切体ブランクと、仕切体ブランク以外の底板ブランクの側縁に設けられた側板ブランクとを備え、仕切体ブランクは、２つの隣接する底板ブランクの対向する側縁から延びる一対の側板ブランクと、一対の側板ブランク間に設けられた上板ブランクとを有し、仕切体ブランクの一対の側板ブランクおよび各底板ブランクの仕切体以外の側板ブランクは対応する底板ブランクの側縁からの長さが同一となっていることを特徴とする中仕切り用ブランクである。
【００１２】
本発明は、矩形状底板は格子状に配置された４つの底板からなり、隣り合う底板間に各々仕切体が設けられていることを特徴とする中仕切り用ブランクである。
【発明の効果】
【００１３】
以上のように本発明によれば、外方から衝撃が加えられた場合でも内容物を確実に保護することができ、かつ組立て作業を容易に行なうことができる。
【図面の簡単な説明】
【００１４】
【図１】図１は本発明による中仕切りの実施の形態を示す斜視図である。
【図２】図２は本発明による中仕切りの完成直前の状態を示す斜視図である。
【図３】図３は中仕切りを多層に積層した状態を示す斜視図である。
【図４】図４は外箱内に多層に積層した中仕切りを配置した状態を示す斜視図である。
【図５】図５は外箱を示す斜視図である。
【図６】図６は中仕切り用ブランクを示す平面図である。
【図７】図７は外箱用ブランクを示す平面図である。
【図８】図８は補充ブランクを示す平面図である。
【発明の実施の形態】
【００１５】
以下、図面を参照して本発明の実施の形態について説明する。
【００１６】
図１乃至図８は本発明の実施の形態を示す図である。
【００１７】
まず図１乃至図５により、本発明による中仕切りおよび内容物収納箱について述べる。
【００１８】
図１乃至図５に示すように、中仕切り１０は内容物５を区画して保護するとともに、単一のダンボール製中仕切り用ブランク１０Ａ（図６参照）から作製される。
【００１９】
このような中仕切り１０は、格子状に配置された４つの底板１１と、２つの隣接する底板１１間に位置し、隣接する各底板１１の対向する側縁１１ａ間に設けられた仕切体１５と、仕切体１５以外の底板１１の側縁１１ｂに設けられ上方に延びる側板１２とを備えている。
【００２０】
このうち、４つの底板１１はいずれも矩形状をなし、内容物５を載置するものである。
【００２１】
底板１１上に載置される内容物５としては、液体を収納したプラスチック製のパウチ型包装袋が考えられる。内容物５としてはパウチ型包装袋に限られることはなく、その他電子部品、食品、電気製品およびその消耗品等が考えられる。
【００２２】
また各底板１１は矩形状をなしているため４つの側縁１１ａ、１１ｂを有している。このうち２つの側縁１１ａは底板１１の内側にあって仕切体１５側の側縁となっており、他の２つの側縁１１ｂは底板１１の外側にあって仕切体１５以外の側縁となっている。
【００２３】
本実施の形態において、中仕切り１０は４つの底板１１を有するため、中仕切り１０は２つの隣接する底板１１間に合計４つの仕切体１５を有する。
【００２４】
この場合、各仕切体１５は、２つの隣接する底板１１の対向する側縁１１ａ、１１ａから上方へ延びる一対の側板１３、１３と、一対の底板１３、１３の上端を連結する上板１４とを有している。
【００２５】
また底板１１のうち仕切体１５以外の側縁１１ｂから側板１２が上方へ延びており、これらの側板１２は中仕切り１０の外壁を構成する。
【００２６】
このように４つの底板１１は４つの側縁１１ａ、１１ｂを有し、このうち底板１１の内側の２つの側縁１１ａには仕切体１５を構成する側板１３が連結され、外側の２つの側縁１１ｂには外壁を構成する側板１２が連結されている。
【００２７】
また外壁を構成する側板１２と、仕切体１５を構成する側板１３は、いずれも同一高さを有しており、底板１１、側板１２および仕切体１５により、内容物５を収納する収納空間２が形成されている。
【００２８】
底板１１、側板１２および仕切体１５により形成された収納空間２は、内容物５の高さより大きな高さをもち、この収納空間２により内容物を区画して保護することができる。
【００２９】
なお、内容物５として、液体を収納したパウチ型包装袋を用いる場合、収納空間２の平面形状をパウチ型包装袋の平面形状に対応させ、収納空間２の高さをパウチ型包装袋の高さよりわずかに高くしておくことにより、包装袋からなる内容物５を底板１１と側板１２と仕切体１５により形成された収納空間２により効果的に保護することができる。この場合、包装袋からなる内容物５の側面を側板１２と仕切体１５とにより押えることができ、内容物５を収納空間２内で摺動したり移動することなく効果的に保護することができる。
【００３０】
このように構成された中仕切り１０は多段、例えば３段に積層されて（図３参照）、ダンボール製の外箱２０内に配置することができる（図４参照）。
【００３１】
図３および図４に示すように、ダンボール製の外箱２０内に３段に積層された中仕切り１０が配置され、各中仕切り１０の収納空間２内に内容物５が収納されている。図３および図４において、下方に位置する中仕切り１０の上面に、上方に位置する中仕切り１０の下面が当接して支持されている。具体的には下方に位置する中仕切り１０の側板１２および仕切体１５の上面に、上方に位置する中仕切り１０の底板１１が各々当接して支持される。
【００３２】
この場合、中仕切り１０の収納空間２は底板１１、側板１２および仕切体１５により形成されて上方開口をもち、上方開口をもつ中仕切り１０の収納空間２は、上方に位置する中仕切り１０の底板１１により密閉される。このため収納空間２内の内容物５を底板１１、側板１２および仕切体１５により効果的に保護することができ、かつ上方に位置する中仕切り１０の底板１１により上方からも効果的に保護することができる。
【００３３】
図４において、ダンボール製の外箱２０と、外箱２０内に配置された３段の中仕切り１０とにより、内容物収納箱１が構成される。
【００３４】
図４および図５に示すように、ダンボール製の外箱２０は底板２１と、底板２１に連結された４つの側板２２と、各側板２２に連結された天板２３とを有している。また、底板２１は後述のように２枚の長い底板ブランク２１Ａ、２１Ａと短い底板ブランク２１Ｂ、２１Ｂとからなるが、短い底板ブランク２１Ｂ、２１Ｂ間に段差領域が形成されている。このため短い底板ブランク２１Ｂ、２１Ｂ間の段差領域に補充ブランク２５（図８参照）が配置されており、この補充ブランク２５により外箱２０の底板２１の内面を平滑化することができる。
【００３５】
次に中仕切り１０および外箱２０を作製するための中仕切り用ブランク１０Ａおよび外箱用ブランク２０Ａについて説明する。
【００３６】
まず図６により中仕切り用ブランク１０Ａについて述べる。中仕切り用ブランク１０Ａは中仕切り１０を作製するものであり、格子状に配置され底板１１に対応する４つの底板ブランク１１Ａと、隣接する２つの底板ブランク１１Ａ間に位置し、隣接する各底板ブランク１１Ａの対向する側縁１１ａ間に設けられて仕切体１５に対応する仕切体ブランク１５Ａと、仕切体ブランク１５Ａ以外の底板ブランク１１Ａの側縁１１ｂに設けられて上方に延び、側板１２に対応する側板ブランク１２Ａとを備えている。
【００３７】
このうち、４つの底板ブランク１１Ａはいずれも矩形状をなし、内容物５を載置するものである。
【００３８】
また、各底板ブランク１１Ａは矩形状をなしているため４つの側縁１１ａ、１１ｂを有している。このうち２つの側縁１１ａは底板ブランク１１Ａの内側にあって仕切体ブランク１５Ａ側の側縁となっており、他の２つの側縁１１ｂは底板ブランク１１Ａの外側にあって仕切体ブランク１５Ａ以外の側縁となっている。
【００３９】
本実施の形態において、中仕切り用ブランク１０Ａは４つの底板ブランク１１Ａを有するため、中仕切り用ブランク１０Ａは２つの隣接する底板ブランク１１Ａ間に合計４つの仕切体ブランク１５Ａを有する。
【００４０】
この場合、各仕切体ブランク１５Ａは、２つの隣接する底板ブランク１１Ａの対向する側縁１１ａ、１１ａから延び側板１３に対応する一対の側板ブランク１３Ａ、１３Ａと、一対の側板ブランク１３Ａ、１３Ａ間を連結し上板１４に対応する上板ブランク１４Ａとを有している。
【００４１】
また底板ブランク１１Ａのうち仕切体ブランク１５Ａ以外の側縁１１ｂから側板ブランク１２Ａが外方へ延びており、これらの側板ブランク１２Ａは中仕切り１０の外壁を構成する。
【００４２】
このように４つの底板ブランク１１Ａは４つの側縁１１ａ、１１ｂを有し、このうち底板ブランク１１Ａの内側の２つの側縁１１ａには仕切体ブランク１５Ａを構成する側板ブランク１３Ａが連結され、外側の２つの側縁１１ｂには外壁を構成する側板ブランク１２Ａが連結されている。
【００４３】
ところで中仕切り用ブランク１０Ａはダンボール製の単一のブランクからなっており、中仕切り用ブランク１０Ａを構成するダンボールは特定方向に規定された目盛り方向Ｌをもつ。
【００４４】
一般にダンボールを目盛り方向にハーフカット加工を施して罫線を作製する場合、直線状の罫線を形成することはむずかしく罫線はジグザグ状となる。他方、目盛り方向に直交する方向にハーフカット加工を施して罫線を作製する場合、罫線は直線状となる。
【００４５】
本実施の形態においては、図６に示すように目盛り方向Ｌに平行する罫線１８、例えば底板ブランク１１Ａの側縁１１ａ上の罫線１８、および側板ブランク１３Ａと上板ブランク１４Ａとの間の罫線１８は、ハーフカット加工を施すことなく断続的に貫通孔を穴ける加工を施すことにより形成されている（リード罫線）。
【００４６】
他方、目盛り方向Ｌに直交する罫線１７、例えば底板ブランク１１Ａの側縁１１ｂ上の罫線１７、および側板ブランク１３Ａと上板ブランク１４Ａとの間の罫線１７は、ハーフカット加工を施すことにより形成されている（ハーフカット罫線）。
【００４７】
なお、上述したリード罫線１８およびハーフカット罫線１７は、いずれも中仕切り用ブランク１０Ａの裏面側から加工が施されて形成されている。
【００４８】
また、図６に示す中仕切り用ブランク１０Ａにおいて、格子状に配置された４つの底板ブランク１１Ａの中央には矩形状空間１９が形成されている。
【００４９】
次にダンボール製の外箱用ブランク２０Ａについて図７により説明する。
【００５０】
外箱用ブランク２０Ａは、外箱２０の側板２２となる４つの側板ブランク２２Ａと、各側板ブランク２２Ａに連結され天板２３となる天板ブランク２３Ａと、各側板ブランク２２Ａに連結された底板ブランク２１Ａ、２１Ｂとを有する。
【００５１】
このうち底板ブランク２１Ａ、２１Ｂは外箱２０の底板２１となる部分であり、一対の長い底板ブランク２１Ａと、一対の短い底板ブランク２１Ｂとからなる。また側板ブランク２２Ａ、天板ブランク２３Ａおよび底板ブランク２１Ａ、２１Ｂ間は罫線２７により互いに区画されている。さらに端部側の側板ブランク２２Ａにはのりしろ２９が設けられ、端部側の底板ブランク２１Ａにものりしろ２８が設けられている。
【００５２】
さらに底板２１となる底板ブランク２１Ａ、２１Ｂは、短い底板ブランク２１Ｂが上方にくるようにして組立てられ、短い底板ブランク２１Ｂ間の段差領域に、補充ブランク２５が配置されて外箱２０の底板２１の内面が平滑化される。
【００５３】
次にこのような構成からなる本実施の作用について説明する。
【００５４】
まず図７に示す外箱用ブランク２０Ａを準備する。次に外箱用ブランク２０Ａを罫線２７に沿って折り曲げて組立てることにより、図５に示す外箱２０が作製される。その後外箱２０の短い底板ブランク２１Ｂ間の段差領域が補充ブランク２５により埋められて、外箱２０の底板２１の内面が平滑化される。
【００５５】
次に図６に示す中仕切り用ブランク１０Ａを準備する。次に中仕切り用ブランク１０Ａを罫線１７、１８に沿って折り曲げる。このことにより中仕切り１０を作製することができる。
【００５６】
この場合、まず底板ブランク１１Ａの側縁１１ｂに連結された側板ブランク１２Ａを立ち上げる。次に底板１１となる底板ブランク１１Ａの側縁１１ａに連結された側板ブランク１３Ａを立ち上げる。
【００５７】
その後側板ブランク１３Ａと上板ブランク１４Ａとを罫線１７を介して折曲げることにより、一対の側板１３、１３と上板１４とからなる仕切体１５を構成することができる（図２参照）。
【００５８】
このようにして中仕切り１０を作製した後、中仕切り１０の４つの収納空間２内に内容物５を収納する。
【００５９】
次に収納空間２内に内容物５が収納された中仕切り１０を外箱２０内に順次配置していく。この場合、外箱２０内において中仕切り１０が多段、例えば３段に積層される。
【００６０】
また、図３および図４に示すように、ダンボール製の外箱２０内に３段に積層された中仕切り１０が配置され、各中仕切り１０の収納空間２内に内容物５が収納されている。図３および図４において、下方に位置する中仕切り１０の上面に、上方に位置する中仕切り１０の下面が当接して支持されている。具体的には下方に位置する中仕切り１０の側板１２および仕切体１５の上面に、上方に位置する中仕切り１０の底板１１が当接して支持される。
【００６１】
以上のように本実施の形態によれば、中仕切り１０の底板１１、側板１２および仕切体１５により収納空間２が形成され、上方開口をもつ中仕切り１０の収納空間２は、上方に位置する中仕切り１０の底板１１により密閉される。このため外方から衝撃が加えられた場合、収納容器２内の内容物５を底板１１、側板１２および仕切体１５により効果的に保護することができ、かつ上方に位置する中仕切り１０の底板１１により上方からも効果的に保護することができる。
【００６２】
また内容物５として液体を収納したパウチ型包装袋を用いる場合、収納空間２の平面形状をパウチ型包装袋の平面形状に対応させ、収納空間２の高さをパウチ型包装袋の高さよりわずかに高くしておくことにより、包装袋の側面を側板１２と仕切体１５とにより押えることができる。このため、内容物収納箱１を搬送する際であっても、収納空間２内で包装袋が移動したり、摺動することはなく、収納空間２内で包装袋を効果的に保護することができ、パウチ型包装袋の肉厚みを過度に厚くする必要はない。
【００６３】
また中仕切り１０は、単一の中仕切り用ブランク１０Ａから構成されるため、例えば中仕切り１０を多数の部材から構成する場合に比べて、中仕切り１０の組立て作業が容易となる。
【００６４】
なお、上記実施の形態において、中仕切り１０は格子状に配置された４つの底板１１を有する例を示したが、これに限らず中仕切り１０は２つの隣接する矩形状底板１１を有していてもよい。
【００６５】
あるいは中仕切り１０は、６つの底板１１を有していてもよく、８つの底板１１を有していてもよい。
【符号の説明】
【００６６】
１  内容物収納箱
２  収納空間
５  内容物
１０  中仕切り
１０Ａ  中仕切り用ブランク
１１  底板
１１Ａ  底板ブランク
１１ａ  側縁
１１ｂ  側縁
１２  側板
１２Ａ  側板ブランク
１３  側板
１３Ａ  側板ブランク
１４  上板
１４Ａ  上板ブランク
１５  仕切体
１５Ａ  仕切体ブランク
２０  外箱
２１  底板
２２  側板
２３  天板
【図１】
2015000761.tif 000003
【図２】
2015000761.tif 000004
【図３】
2015000761.tif 000005
【図４】
2015000761.tif 000006
【図５】
2015000761.tif 000007
【図６】
2015000761.tif 000008
【図７】
2015000761.tif 000009
【図８】
2015000761.tif 000010